(57)【特許請求の範囲】
【請求項１】
電柱に固設された水平な腕金に取着される営巣防止具であって、
前記腕金に着脱自在に取り付けられる取付金具と、該取付金具から所望角度下側を向いて伸びる支持部材とからなり、該支持部材にはその両側に若干下側を向く複数本のバリヤー棒体をそれぞれ平行に突設したことを特徴とする営巣防止具。
【発明の詳細な説明】
【０００１】
【発明の属する技術分野】
本発明は、電柱に固設された水平な腕金に取着されるピン碍子、腕金上に架設れた縁回し線などの間や、各種の柱上機器の上面のように電柱回りの営巣し易い個所に鳥類が営巣するのを防止する営巣防止具に関するものである。
【０００２】
【従来の技術】
従来、出願人は、外周面が丸い電柱などに取り付けられる取付バンドの前面に複数本のバリヤー棒体を放射状にかつ若干下向きに傾斜させて突設した営巣防止具を発明し、特願平９−３６８１２２号として特許出願をした。
【０００３】
ところで、前記営巣防止具は、取付バンドの前面に放射状かつ若干下向きに傾斜させて突設したバリヤー棒体群により、鳥類が営巣し易い柱上機器などの上面を覆うようにしている。
【０００４】
【発明が解決しようとする課題】
このようにバリヤー棒体群が水平より若干下向きに突設している営巣防止具は、営巣を防止する個所が本来限られており、これ以外に例えば腕金上などの個所に営巣するのを有効に防ぐ手段が少なく、全体的な営巣防止対策としてなお改良すべき課題がある。
そこで、本発明は、電柱の回りに鳥類の営巣するのを効率的に防止することができる営巣防止具を提供することを目的とするものである。
【０００５】
【課題を解決するための手段】
かかる目的を達成するため本発明に係る営巣防止具は、電柱に固設された水平な腕金に取着される営巣防止具であって、前記腕金に着脱自在に取り付けられる取付金具と、該取付金具に一体に突設される支持金具と、該支持金具に着脱自在に取り付けられる支持部材とからなり、該支持部材の上面には複数本のバリヤー棒体を腕金に沿うように配置立設して構成される。
【０００６】
また、請求項１の支持部材に着脱自在に取り付けられかつ腕金の側方へ伸びるように配置される補助支持部材と、該補助支持部材の上面にはバリヤー棒体を立設した構成としても良い。
【０００７】
また、電柱に固設された水平な腕金に取着される営巣防止具であって、前記腕金に着脱自在に取り付けられる取付金具と、該取付金具に一体に突設される支持金具と、該支持金具に固着されかつ腕金の側方へ伸びるように配置される支持部材とからなり、該支持部材の上面には複数本のバリヤー棒体を立設した構成としても良い。
【０００８】
また、電柱に固設された水平な腕金に取着される営巣防止具であって、前記腕金に着脱自在に取り付けられる取付金具と、該取付金具に一体に突設される支持金具と、該支持金具の上面に配置されかつ腕金と重なる位置と腕金の側方へ伸びる位置とに自在に変換して固定し得る支持部材とからなり、該支持部材の上面には複数本のバリヤー棒体を立設した構成としても良い。これら構成により腕金上面に鳥類が営巣するのを効率的に防止することができる。
【０００９】
また、電柱に固設された水平な腕金に取着される営巣防止具であって、前記腕金に着脱自在に取り付けられる取付金具と、該取付金具から所望角度下側を向いて伸びる支持部材とからなり、該支持部材にはその両側に若干下側を向く複数本のバリヤー棒体をそれぞれ平行に突設して構成される。
この場合は、営巣され易い開閉器リード部の上方を覆うようにして開閉器の上面に営巣するのを防止している。
【００１０】
【発明の実施の形態】
以下本発明に係る営巣防止具の実施の形態を図面と共に説明する。まず、図１は単抱きアーム（腕金）用の営巣防止具の正面図。図２は同側面図である。図において、１は後記する腕金Ｂに着脱自在かつ摺動自在に取り付けられる側面コ形状の取付金具であり、開放端寄りの上片１ａと下片１ｂとにボルト挿通孔２を開設すると共に、下片１ｂの下面にボルト挿通孔２と連通させてナット３を固着している。そして、ナット３に上方から各ボルト挿通孔２，２を介して垂直にボルト４を螺締できるようにしている。また、上片１ａの上面に支持金具５が一体に突設される。該支持金具５は、上片１ａの上面から突設される連結帯片５ａと、その上端に固着され取付金具１より小形の側面コ形状をなす支持部６とからなる。この支持部６にも取付金具１と同様に開放端寄りの上片６ａと下片６ｂとにボルト挿通孔７を開設すると共に下片６ｂの下面にボルト挿通孔７と連通させてナット８を固着し、該ナット８に各ボルト挿通孔７，７を介してボルト９を螺締できるようにしている。
【００１１】
１０は前記支持部６内に挿通されて取り付けられ、水平に支持されつつ自在に摺動し得る支持部材である。該支持部材１０は断面四角柱状をなしＡＢＳ樹脂により形成され、その両側上面に鳥類が営巣するのを防止するためのバリヤー棒体１１が２本配置立設される。該各バリヤー棒体１１，１１は合成樹脂製の丸パイプ材により所要の長さに形成され、上端にキャップ１２が装着される。これらバリヤー棒体１１，１１は腕金Ｂ上面であって、これに沿うように位置している。これにより、第１営巣防止具Ａ１が形成される。
【００１２】
図３，図４は第２営巣防止具Ａ２の正面図及び側面図である。該第２営巣防止具Ａ２は、所定の長さを有する補助支持部材１３の先端側上面にバリヤー棒体１１が立設され、基端面に側面門形をなす支持金具５２をビス１４により固着している。該支持金具５２は、前記支持部材１０に嵌着して着脱自在に取り付けられるようにしており、開放端寄りの両側片５２ａ，５２ｂにボルト挿通孔１５，１５を開設すると共に一側片５２ｂの外側にナット１６を固着し、両ボルト挿通孔１５，１５を介してナット１６にボルト１７を螺締できるようにしている。
【００１３】
図５，図６は第３営巣防止具Ａ３の正面図及び側面図である。該第３営巣防止具Ａ３は、取付金具１の上片１ａ上面に門形の支持金具５３が一体に突設され、該支持金具５３の上面に長杆部１０３ａと短杆部１０３ｂとにより平面Ｔ字形に形成された支持部材１０３が一端側に寄せてビス１８により水平に固着される。そして、図６に示すように短杆部１０３ｂの上面と長杆部１０３ａの上面に等間隔に３本のバリヤー棒体１１が立設される。なお、短杆部１０３ｂ上面のバリヤー棒体１１ａは他の２本のものより若干側方へずれている。これにより短杆部１０３ｂが腕金Ｂの上方に位置し、長杆部１０３ａが腕金Ｂの一側方へ伸びるように配置されることとなる。
【００１４】
図７は前記第１〜第３営巣防止具Ａ１〜Ａ３の使用例を示す斜視図である。図中Ｐは電柱であり、その両側に一対の腕金Ｂ，Ｂ１が水平かつ平行に固設されている。各腕金Ｂ，Ｂ１には電線を固定するための連結金具Ｃが等間隔に複数固着され、一方腕金Ｂにあっては、耐張碍子Ｇにより各連結金具Ｃを止着している。Ｗは耐張碍子Ｇに係留される縁回し線である。
【００１５】
そして、一方の腕金Ｂには電柱Ｐ側から第１営巣防止具Ａ１、また耐張碍子Ｇ，Ｇ間に第３営巣防止具Ａ３、更に耐張碍子Ｇ，Ｇ間にバリヤー棒体１１を３本立設した第１営巣防止具Ａ１−２がそれぞれ取り付けられている。前記第１営巣防止具Ａ１は取付金具１に腕金Ｂを挿通し、ボルト４を螺締することにより固定される。他の第３営巣防止具Ａ３、第１営巣防止具Ａ１−２も同様である。また、第１営巣防止具Ａ１−２にあっては、第２営巣防止具Ａ２が取り付けられる。すなわち、支持部材１０に支持金具５２を嵌着してボルト１７を螺締することにより補助支持部材１３が両腕金Ｂ，Ｂ１間に突出するようにして配設される。また、第３営巣防止具Ａ３の長杆部１０３ａも両腕金Ｂ，Ｂ１間に突出するようにして配設される。これにより、腕金Ｂの上面に複数本のバリヤー棒体１１，１１…が立設される。
【００１６】
また、他方の腕金Ｂ１にあっては、電柱Ｐ側からバリヤー棒体１１を５本立設した第３営巣防止具Ａ３−２が取り付けられ、所定の間隔離してバリヤー棒体１１を４本立設した第１営巣防止具Ａ１−３が取り付けられる。これにより、腕金Ｂ１の上面に複数本のバリヤー棒体１１，１１…が立設し、更に、長杆部１０３ａが両腕金Ｂ，Ｂ１間に突出し、その上面にバリヤー棒体１１が立設する。
このように、両腕金Ｂ，Ｂ１の上面に複数本のバリヤー棒体１１，１１…が壁状に立設し、しかも両腕金Ｂ，Ｂ１間にも複数本のバリヤー棒体１１，１１…が散在的に立設するので、鳥類が両腕金Ｂ，Ｂ１間の上面に営巣しようと木の小枝などを置こうとしても前記各バリヤー棒体１１が邪魔となり営巣が行なえなくなる。
【００１７】
図８，図９は第４営巣防止具Ａ４の正面図と側面図である。該第４営巣防止具Ａ４は正面門状の取付金具１の上面に上端が開口した方形角筒状の支持金具５４が一体に突設される。該支持金具５４の各側面にはボルト挿通孔１９が開設されている。そして、該支持金具５４の上面に支持部材１０４が水平に配置され、その中央下面に前記支持金具５４に上から嵌入する角柱状の短杆２０が突設されている。該短杆２０には前記各ボルト挿通孔１９と連通する螺子孔２１が穿設され、対向する２面の螺子孔２１にボルト２２を螺締することにより支持部材１０４が支持金具５４と一体に固着される。前記支持部材１０４の上面には中央と両側に等間隔に３本のバリヤー棒体１１が立設される。
【００１８】
また、図８では、支持部材１０４が腕金Ｂと直交してその両側へ伸びる位置にあるが、ボルト２２を外して短杆２０を抜き支持部材１０４を水平面内で９０度回転させて嵌め直すと、支持部材１０４が腕金Ｂと重なるように位置し、その変換が自在にできるようになっている。
【００１９】
図１０ないし図１２は第５営巣防止具Ａ５の正面図、平面図及び図１０のＸ−Ｘ線矢視図である。該第５営巣防止具Ａ５は、正面コ字形の取付金具１の上面にへの字形に屈曲した連結帯板２３の一端が固着され、その上面に所望角度下側を向いて伸びる支持部材１０５が配置される。前記連結帯板２３にはその長手方向に沿って長孔２４が開設されている。一方、支持部材１０５にはその上部に前記長孔２４と連通するボルト挿通孔２５が開設され、更に上面に該ボルト挿通孔２５と連通するナット２６が固着されている。そこで、連結帯板２３の下側から長孔２４とボルト挿通孔２５を介してナット２６にボルト２７を螺締することにより連結帯板２３に支持部材１０５が一体に固着され、ボルト２７を緩めることにより支持部材１０５がスライドできその位置を自在に調節できるようになっている。そして、前記支持部材１０５の両側に若干下側を向く複数本のバリヤー棒体１１，１１…が平行に突設されている。
【００２０】
図１３は前記第４・第５営巣防止具Ａ４，Ａ５の使用例を示す斜視図である。この使用例では電柱Ｐから１本の腕金Ｂが水平に突設され、基端側の上面に耐張碍子Ｇが設けられると共に連結金具Ｃが支着されている。そして腕金Ｂの先端部下方に吊下金具Ｄを介して開閉器Ｅが吊下されている。そこで、開閉器Ｅの上方に位置する腕金Ｂに取付金具１を取り付けて第４営巣防止具Ａ４を設ける。該第４営巣防止具Ａ４にあっては、支持部材１０４が腕金Ｂと重なるように配置され、複数のバリヤー棒体１１が腕金Ｂに沿って並んで立設している。また、その近傍に同じく取付金具１により前記開閉器Ｅの上面を覆うようにして第５営巣防止具Ａ５が設けられる。このように、腕金Ｂ上面に複数のバリヤー棒体１１が立設されるので、鳥類が営巣しずらく、仮に開閉器Ｅ上面に営巣しようとして木の小枝を上方から落としても、これら小枝はバリヤー棒体１１群の上面を滑り落ちて遮られることとなり、これにより営巣行為が防止される。また、前記各第１〜第５営巣防止具Ａ１〜Ａ５は構造が簡単であって製作が容易であり、低コストに提供できるものである。
なお、前記使用例以外にも第１〜第５営巣防止具Ａ１〜Ａ５を使用できることは勿論である。
【００２１】
【発明の効果】
以上述べたように本発明に係る営巣防止具は、電柱に固設された腕金に対して、ピン碍子や縁回し線に邪魔にならないようにして、取付金具を腕金に取り付け固定することにより簡単に設置することができる。しかも、ピン碍子や縁回し線の間隔に合った長さの支持部材を選択して使用することにより、腕金の空いている上面を林立するバリヤー棒体群で覆うことができ、鳥類の飛来及び営巣を防止することができる。
また、開閉器など各種の柱上機器といったような設備に対してもこれらの設備の上方に位置する腕金に取付金具を取り付けその上面を覆い、落下する小枝をすべらせて遮ることからそれぞれの設置個所に適した営巣防止具を選択して効率の良い鳥害防止を行なうことが可能となる。
【図面の簡単な説明】
【図１】本発明に係る第１営巣防止具Ａ１の正面図。
【図２】図１の側面図。
【図３】第２営巣防止具Ａ２の正面図。
【図４】図３の側面図。
【図５】第３営巣防止具Ａ３の正面図。
【図６】図５の側面図。
【図７】第１〜第３営巣防止具Ａ１〜Ａ３の使用例を示す斜視図。
【図８】第４営巣防止具Ａ４の正面図。
【図９】図８の側面図。
【図１０】第５営巣防止具Ａ５の正面図。
【図１１】図１０の平面図。
【図１２】図１０のＸ−Ｘ線斜視図。
【図１３】第４・第５営巣防止具Ａ４，Ａ５の使用例を示す斜視図。
【符号の説明】
１                取付金具
５                支持金具
１０              支持部材
１１              バリヤー棒体
Ｂ                腕金
Ｐ                電柱
【図１】
0004124908.tif 000002
【図２】
0004124908.tif 000003
【図３】
0004124908.tif 000004
【図４】
0004124908.tif 000005
【図５】
0004124908.tif 000006
【図６】
0004124908.tif 000007
【図７】
0004124908.tif 000008
【図８】
0004124908.tif 000009
【図９】
0004124908.tif 000010
【図１０】
0004124908.tif 000011
【図１１】
0004124908.tif 000012
【図１２】
0004124908.tif 000013
【図１３】
0004124908.tif 000014